(57)【要約】【課題】海岸近くの砂地や山野の傾斜地等の苗木の育成に適さない環境であっても苗木を確実に育成させ得る基盤材を提供する。【解決手段】基盤材１は、土壌改良剤が圧縮、糊固めまたはラッピングのいずれかにより平板状に成型され、平板の側面から平板の中心にはスリット２が設けられている。基盤材１は、雨水を吸収することにより自重が増加し、さらに平板状に形成されて地面に載置されるので、海陸風により吹き飛ばされてしまうことはない。基盤材１に設けられたスリット２は、基盤材の設置時には、苗木の植え付け作業の効率を向上させ、基盤材を設置した後では、雨水を吸収して基盤材１が膨らむことによりスリット２の幅が狭まるので、強風による苗木の倒壊を防止することができる。基盤材１は天然素材で形成されており徐々に風化するので、苗木３の成長を阻害することもない。【選択図】図４
0003185901.tif 000002
【実用新案登録請求の範囲】
【請求項１】
圧縮、糊固めまたはラッピングのいずれかにより繊維質の土壌改良剤を平板状に成型して、平板の側面から前記平板の中心に向かうスリットを設けた基盤材。
【請求項２】
平板状に成型された前記土壌改良剤が水を吸収すると、前記土壌改良剤が膨張して前記スリットの幅が狭まる、請求項１に記載の基盤材。
【請求項３】
前記スリットが、前記平板の側面から前記平板の中心に向かって直線状に延びている、請求項１または２に記載の基盤材。
【請求項４】
前記平板の形状が矩形である、請求項１〜３のいずれかに記載の基盤材。
【請求項５】
前記スリットが、前記矩形のいずれか一辺から前記中心に向かって形成されている、請求項４に記載の基盤材。
【考案の詳細な説明】
【技術分野】
【０００１】
本考案は、苗木を保護するための基盤材に関し、より詳細には、海岸近くの砂地や山野の傾斜地等の苗木の育成に適さない環境であっても苗木を確実に育成させ得る基盤材に関する。
【背景技術】
【０００２】
従来、山野において新たに植林を行う場合には、所定の大きさにまで育成された苗木を育苗メーカから別途入手して、植え付ける方法が一般的である。ところが、苗木を山野の傾斜地や海岸付近等に直接植え付けた場合には、苗木が十分に根付く前に、強風雨等によって周囲の土壌が流されて、根本付近が露出し、苗木が倒れてしまうという問題があった。
【０００３】
このような問題を解決するための、従来から行われている最も簡単な方法は、苗木の周囲を石や藁束等で囲む方法である。
【０００４】
また、下記特許文献１には苗木育成用保護具が開示されている。この保護具は筒状に構成されており、かつ下方に向かってテーパー状に形成されている。このような保護具の下半部を苗木の周囲の土中に埋設することにより、苗木を風や動物類による侵食から保護している。
【先行技術文献】
【特許文献】
【０００５】
【特許文献１】登録実用新案第３１５４９０８号公報
【考案の概要】
【考案が解決しようとする課題】
【０００６】
近年、津波により破壊された松林を再生するプロジェクトが進められている。しかしながら、このような海岸近くの松林は砂地に形成されているので、次に示す理由により、松の苗木を植え付けても、苗木が順調に根付くまで成長させることは非常に困難であった。
【０００７】
まず、海陸風として知られているように、海岸付近では日中と夜間とで風向が逆転する。この海陸風の影響により、苗木は四方から風を受けて大きく揺さぶられ、図１０に示すように、苗木３の根本付近が大きくえぐれてしまい、苗木が枯れてしまうという問題があった。
【０００８】
次に、苗木を植える土壌が砂地であるという問題がある。砂地は苗木の育成に適した適度に締まった硬さの土壌ではないので、特許文献１のような、保護具の下半部を土中に埋め込む方式であっても、強風により保護具が倒れてしまうという問題があった。
【０００９】
また、砂地自体が栄養分の少ない土壌であるので、苗木の生育自体が遅いという問題もあった。砂地に栄養分を与えようとしても、大規模な土壌の改良工事が必要となるため、非常に手間と費用がかかってしまい現実的ではない。
【００１０】
本考案は、上記課題を解決するためになされたものであり、その目的は、海岸近くの砂地や山野の傾斜地等の苗木の育成に適さない環境であっても苗木を確実に育成させ得る基盤材を提供することにある。
【課題を解決するための手段】
【００１１】
上記目的の達成のために、本考案に係る基盤材は、圧縮、糊固めまたはラッピングのいずれかにより繊維質の土壌改良剤を平板状に成型して、平板の側面から前記平板の中心に向かうスリットが設けられている。
【００１２】
好ましくは、平板状に成型された前記土壌改良剤が水を吸収すると、前記土壌改良剤が膨張して前記スリットの幅が狭まる。
【００１３】
好ましくは、前記スリットが、前記平板の側面から前記平板の中心に向かって直線状に延びている。
【００１４】
好ましくは、前記平板の形状が矩形である。
【００１５】
好ましくは、前記スリットが、前記矩形のいずれか一辺から前記中心に向かって形成されている。
【考案の効果】
【００１６】
本考案の基盤材によると、海岸近くの砂地や山野の傾斜地等の苗木の育成に適さない環境であっても、苗木を確実に育成させることができる。基盤材は土壌改良剤の圧縮成型物であるので、砂地等に基盤材を設置するだけで、苗木の生育土壌を作り、苗木や種子、下草植生が生育する土壌環境を形成することができる。
【００１７】
また、基盤材に使用している土壌改良剤は、吸水力、保水力、保肥力が高く、これにより根の活着と根張りの促進効果を高めるとともに、広葉樹の腐葉土と同じく微生物を宿し、直射日光や、土壌の温度変化または水分蒸発等の環境変化から根を守る効果がある。
【００１８】
また、高い保水力を有する基盤材は、雨水を吸収することにより自重が増加し、さらに基盤材は平板状に形成されて地面に載置されるので、強風であっても基盤材は吹き飛ばされてしまうことはない。すなわち、本考案の基盤材は設置の安定性が非常に高く、海岸砂防、治山、林道等の悪条件の場所や、山間部、傾斜地農業にも利用することができる。
【００１９】
また、基盤材に設けられたスリットは、基盤材の設置時には、苗木の植え付け作業の効率を向上させ、基盤材を設置した後では、雨水を吸収して基盤材が膨らむことによりスリットの幅が狭まるので、強風による苗木の倒壊を防止することができる。
【００２０】
また、基盤材は天然素材で形成されており、設置後、風化により徐々にその形を崩していくので、基盤材が苗木の成長を阻害することもない。
【図面の簡単な説明】
【００２１】
【図１】本考案の一実施形態に係る基盤材の斜視図である。
【図２】図１に示す基盤材の平面図である。
【図３】図１に示す基盤材の側面図である。
【図４】図１に示す基盤材の設置状態を示す模式図である。
【図５】図１に示す基盤材の設置状態を示す透過側面図である。
【図６】図１に示す基盤材の設置状態を示す透過側面図であり、基盤材が雨水を吸収して膨張した状態を示す。
【図７】本考案の他の実施形態に係る基盤材の平面図である。
【図８】本考案の他の実施形態に係る基盤材の平面図である。
【図９】図１に示す基盤材の別の設置状態を示す透過側面図である。
【図１０】海岸付近の砂地に植え付けられた苗木の状態を説明する透過側面図である。
【考案を実施するための形態】
【００２２】
以下、本考案の実施の形態を、添付の図面を参照して詳細に説明する。なお、以下の説明及び図面において、同じ符号は同じ又は類似の構成要素を示すこととし、よって、同じ又は類似の構成要素に関する説明を省略する。
【００２３】
図１は、本考案の一実施形態に係る基盤材の斜視図である。図２は、図１に示す基盤材の平面図であり、図３は、図２に示す符号Ａ方向に沿った、図１に示す基盤材の側面図である。
【００２４】
図１〜図３に示すように、基盤材１は略矩形の平板状であり、繊維質の土壌改良剤を板状に圧縮成型することにより形成されている。基盤材１の側面から略中心には、直線状のスリット２が設けられている。苗木の植え付け作業の際に作業者が片手で持つことができ、作業効率を向上させるという観点で、本実施形態では、基盤材１は約３０ｃｍ×３０ｃｍの矩形に、厚さ約３ｃｍの平板状に形成されている。スリット２の幅は約１ｃｍである。基盤材１枚の重量は約１ｋｇである。
【００２５】
本実施形態では、基盤材１の成型にココピート（登録商標）を使用する。ココピートは、ココナッツファイバーダストと呼ばれる椰子殻繊維の細粒および短い椰子殻繊維を自然堆積、発酵させた、繊維質の土壌改良剤である。この土壌改良剤によると、多孔質構造と絡みを持つ繊維構造が毛管水を形成し、苗木に効果的に水分が供給される。また、共生微生物や窒素固定菌または硝化菌等の、苗木にとって有益な微生物の棲みかが提供される。多孔質構造により通気性も確保される。酸度調整の必要も無く、自重の８倍〜９倍の保水性を有する。細粒と繊維質とが混ざり合っているので、適度な保水性と排水性とが両立されている。また、繊維を発酵させているので、繊維質自体に苗木の生育に必要な養分が保持されている。この繊維質は、ガスを出さずにゆっくりと腐食する性質を有する。
【００２６】
次に、基盤材１の設置状態を説明する。図４は、図１に示す基盤材の設置状態を示す模式図であり、図５は、図１に示す基盤材の設置状態を示す透過側面図である。図６は、基盤材が雨水を吸収して膨張した状態を示す透過側面図である。
【００２７】
図４および図５に示すように、植え付け作業の際には、作業者は、苗木３の幹の部分を基盤材１のスリット２の隙間に挟み込み、苗木３の根の部分を地中に埋め込んで、基盤材１を地面に載置する。このように設置された状態で、降雨により基盤材１が雨水を吸収すると、図６に示すように基盤材１の体積が膨張し、スリット２の幅が狭まる。雨により土壌がぬかるみ、かつ苗木が大きく揺さぶられるような強風等の悪条件下では、従来は、苗木の保護具が飛ばされたり植え付けた苗木も強風で倒されてしまっていたが、本考案の基盤材によると、基盤材１が雨水を吸収することにより自重が増加するので、強風であっても基盤材１自体が吹き飛ばされにくくなる。この際、雨水を吸収して基盤材１が膨らむことによりスリット２の幅が狭まり、スリット２が塞がることで苗木３の幹の周囲を基盤材１が覆うので、強風による苗木の倒壊も防止することができる。
【００２８】
また、基盤材１が雨水を吸収するので、土壌のぬかるみを抑えることもできるし、基盤材１は平板状に形成されており、地表に沿った形状となっているので、この点でも、基盤材１自体が吹き飛ばされにくくなる。
【００２９】
また、苗木３の幹の部分を基盤材１が挟み込み、苗木３の根元付近の地表を基盤材１が覆っているので、海陸風のような日中と夜間とで風向が逆転する風であっても、苗木３の根本付近がえぐれることもない。
【００３０】
以上、本考案を特定の実施の形態によって説明したが、本考案は上記した実施の形態に限定されるものではない。
【００３１】
上記実施の形態では基盤材１は略矩形に形成されているが、基盤材１は平板状であればよく、例えば円形、正方形、菱形または多角形等の矩形以外の他の形状であってもよい。
【００３２】
また、上記実施の形態ではスリット２は矩形のいずれか一辺から矩形の中心に向かって形成されているが、スリットの形成位置はこの位置に限定されない。スリットは基盤材１の側面から略中心に向かって形成されていればよく、スリット２の形成位置は、例えば図７に示すように、矩形のいずれか一つの頂点から矩形の中心に向かって形成されていてもよい。
【００３３】
また、上記実施の形態ではスリット２は直線状に形成されているが、スリットの形状は直線状に限定されない。スリットは基盤材１の側面から略中心に向かって形成されていればよく、スリットの形状は、例えば図８に示すようなＳ字状（または波形）であってもよい。
【００３４】
また、上記実施の形態では基盤材１は地表に載置されているが、図９に示すように基盤材１を地中に埋め込んだ状態で設置してもよい。
【００３５】
また、上記実施の形態では基盤材１は平地に載置されているが、基盤材１は雨水を吸収することにより自重が増加するので、設置箇所は平地に限定されず、山野の傾斜地に載置することもできる。
【００３６】
また、上記実施の形態では基盤材１は土壌改良剤の圧縮成型物であるが、基盤材１は圧縮以外の方法で成型されてもよい。例えばデンプン糊等の糊成分や接着成分で土壌改良剤を固めたり、例えば和紙等で土壌改良剤をラッピングしたり、例えば椰子殻繊維の繊維質で作成した網にて土壌改良剤をラッピングすることにより、平板状に成型してもよい。デンプン糊や和紙、椰子殻繊維等の天然素材であれば、土壌改良剤に悪影響を与えることもないし、苗木の成長を阻害することもない。
【符号の説明】
【００３７】
１  基盤材
２  スリット
３  苗木
【図１】
0003185901.tif 000003
【図２】
0003185901.tif 000004
【図３】
0003185901.tif 000005
【図４】
0003185901.tif 000006
【図５】
0003185901.tif 000007
【図６】
0003185901.tif 000008
【図７】
0003185901.tif 000009
【図８】
0003185901.tif 000010
【図９】
0003185901.tif 000011
【図１０】
0003185901.tif 000012